(57)【要約】【課題】  トラクタに装着する折り畳み代掻装置において、砕土体後部の左右の整地体が独立して作動せず一体で作動し十分な均平作用が得られ、かつ砕土体の折り畳み時に連動して折り畳み可能で、十分に強度が得られること。【解決手段】  入力軸を設けられるとともに入力軸から入力された駆動力を出力する機枠と、機枠から駆動力を伝達するシャフトと、シャフトから駆動力を伝達する伝動ケース体と、伝動ケース体からの出力により駆動される一対の砕土体と、機枠の左右端と連結ピンを介して後方に回転自在に取り付けられたトラクタに装着する折り畳み代掻装置において、各々の砕土体の後下部には、整地体がゴムプレートにより揺動自在に連結されるとともに、整地体の左右の対向面には凸状と凹状の嵌合部を設けた。これにより、整地体が左右一体で作動し均平作用が向上する。【選択図】      図２
2005117992.tif 000002
【特許請求の範囲】
【請求項１】
入力軸を設けられるとともに入力軸から入力された駆動力を出力する機枠と、機枠から駆動力を伝達するシャフトと、シャフトから駆動力を伝達する伝動ケース体と、伝動ケース体からの出力により駆動される一対の砕土体と、この砕土体が機枠の左右端と連結ピンを介して後方に回転自在に取り付けられたトラクタに装着する折り畳み代掻装置において、各々の砕土体の後下部には、整地体がゴムプレートにより揺動自在に連結されるとともに、整地体の左右の対向面には凸状と凹状の嵌合部を設けたことを特徴としたトラクタに装着する折り畳み代掻装置。
【請求項２】
整地体は第一鎮圧板と第二鎮圧板から構成され、第一鎮圧板の左右の対向面には、凸状と凹状の嵌合部を設け、さらに第二鎮圧板は、中央部に設けられた連結鎮圧板により左右が連結され、第一鎮圧板と第二鎮圧板は、左右各々上下に揺動できるように枢支されていて、砕土体の折り畳み時に連動して、左右の整地体を折り畳み可能としたことを特徴とする請求項１記載のトラクタに装着する折り畳み代掻装置。
【発明の詳細な説明】
【技術分野】
【０００１】
本発明は、広幅の作業幅を持つ代掻装置の折り畳み構成に関する。
【背景技術】
【０００２】
幅広の砕土装置は大型化すると移送時に農道いっぱいか、あるいは装着するトラクタ巾より突出して周囲に迷惑をかけるようになって、２分割や３分割に分けて折り畳める構成が提案されてきた。例えば、同一出願による「入力軸を設けられるとともに入力軸から入力された駆動力を出力する機枠と、機枠から駆動力を伝達するシャフトと、シャフトからの駆動力を伝達する伝動ケースと、伝動ケースからの出力により駆動されかつ動力側とは反対側に水平かつ後方に折り曲げ自在に機枠の出力側に取り付けられる作業部とからなり、伝動ケースは作業部の中央よりも入力軸寄りに設けられ同位置で作業部に駆動力を伝達することを特徴とする農作業機」が公知である。(特許文献１)
【特許文献１】実公平７−４２２４７号公報
【発明の開示】
【発明が解決しようとする課題】
【０００３】
従来公知の折り畳み代掻装置では、左右の整地体は砕土体に対し揺動自在に設けられており、左右の整地体がそれぞれ独立して作用すると、左右中央部に農土の段差が形成される。また単に左右の整地体を連結した場合は、トラクタが耕盤の凹地に入る等により傾斜した場合、砕土体と整地体も同時に傾斜し均平作用が害われる問題があった。
【０００４】
そこで本発明は、整地体を連結して一体で作動させ、整地体と砕土体は揺動自在に取り付けられ、かつ砕土体の折り畳み時に連動して整地体も折り畳み可能とする。
【課題を解決するための手段】
【０００５】
上記課題を解決するために、入力軸を設けられるとともに入力軸から入力された駆動力を出力する機枠と、機枠から駆動力を伝達するシャフトと、シャフトから駆動力を伝達する伝動ケース体と、伝動ケース体からの出力により駆動される一対の砕土体と、この砕土体が機枠の左右端と連結ピンを介して後方に回転自在に取り付けられたトラクタに装着する折り畳み代掻装置において、各々の砕土体の後下部には、整地体がゴムプレートにより揺動自在に連結されるとともに、整地体の左右の対向面には凸状と凹状の嵌合部を設けたトラクタに装着する折り畳み代掻装置を提供したものである。
【０００６】
また前記代掻装置において、整地体は第一鎮圧板と第二鎮圧板から構成され、第一鎮圧板の左右の対向面には、凸状と凹状の嵌合部を設け、さらに第二鎮圧板は、中央部に設けられた連結鎮圧板により左右が連結され、第一鎮圧板と第二鎮圧板は、左右各々上下に揺動できるように枢支されていて、砕土体の折り畳み時に連動して、左右の整地体を折り畳み可能としたものである。
【発明の効果】
【０００７】
以上のような構成により、代掻作業時の整地体は、凸状と凹状の嵌合部の構成により左右一体で作動し、ゴムプレートをある程度巾広に設けて柔軟にすることで、砕土体に対し整地体は揺動自在、且つ左右方向に撓み自在となり均平作用が向上する。さらに、砕土体の折り畳みと整地体の折り畳みが連動しているため、折り畳みの操作性が向上する。
【発明を実施するための最良の形態】
【０００８】
以下、本発明の実施の形態を図面に基づいて説明する。図１は本発明を実施した平面図、図２は後面図、図３は整地体の嵌合部の斜視図、図４は一方の砕土体を省略した側面図、図５は動力伝達説明図、図６は一方の砕土体を折り畳んだ側面図、図７は砕土体を折り畳んだ後面図、図８は整地体の均平作用の説明図を示したものである。
【０００９】
図１において、１は入力軸で図示されていないがトラクタのＰＴＯ軸より動力が伝達されミッション３に設けられている。２は機枠を示し、中央にミッション３を支承し左右に砕土体７を配置して支持している。１２はロアピンで機枠２の左右前に配置され、トラクタ後部に装着するためのものである。１０は上面カバーを示し、砕土体７の上面を被覆する。１１は整地体を示し、砕土体７によって砕土された泥土の均平をするものである。
【００１０】
整地体１１は、第一鎮圧板１１２、第二鎮圧板１１３、および連結鎮圧板１１４とによって構成されている。第一鎮圧板１１２と第二鎮圧板１１３は、互いに上下に揺動できるように枢支され、第一鎮圧板は上面カバー１０にゴムプレート１１１で連結されている。このゴムプレート１１１は、ある程度巾広にして柔軟に設けてある。これにより整地体１１は、砕土体７に対し揺動自在、且つ左右方向に撓み自在に一体で作動する。
【００１１】
６は伝動ケース体を示し、機枠２からの駆動力を砕土体７に伝達するものである。８は伝動ケース体６の上半部の左右に組み付けた取付スティを示す。取付スティ８と機枠２の両端は連結ピン９によって回動自在に取り付けられている。１９はガススプリングを示し、左右の砕土体を折り畳んだ時の緩衝作用を成すものである。
【００１２】
図２において、機枠２の端部に設けた連結ピン９と、連結鎮圧板１１４と第二鎮圧板１１３との鎮圧板回動ピン９ａは、それぞれの軸芯延長線Ａ−Ａ´の近傍に設けられていて、砕土体７を折り畳むと整地体１１も折り畳まれる。また、第一鎮圧板１１２の左右対向面の嵌合片１１ａ，１１ｂにより、左右が連結されている。図３に凸状嵌合片１１ａ、凹状嵌合片１１ｂの一例を示す。
【００１３】
図４は一方の砕土体を省略した側面状態を示し、機枠２の端部を構成する平行状部材は出力シャフトの係合片１５の中心に対して後方に尻上がりに設けられている。後方に尻上がり傾斜角度は、本実施例においては３０〜４５度に設定される。この機枠２端部の平行部材に直交して連結ピン９は取り付けられている。
【００１４】
第一鎮圧板１１２は、上面カバー１０にゴムプレート１１１で連結されていて、揺動自在に作動する。左右の鎮圧板は、連結鎮圧板１１４と嵌合片１１ａによって連結され一体で揺動する。
【００１５】
図５において、動力の伝達を説明する。３はミッションを示し、前方の入力軸１はトラクタＰＴＯ軸から動力が伝達される。入力軸１はミッション３に内装した一対のベベルギヤによって左右のシャフト４に伝達する。シャフト４の外方端にはクラッチ５を形成するための係合片１５が設けられている。係合片１５と伝動ケース体６側の受けピン１６とが係合される。伝動ケース体６は受けピン１６によって入力されて内装したチェーン伝導体によって下部の出力軸１８を回転する。出力軸１８には回転軸２０が連結されている。
【００１６】
図６において、機枠２の端部に設けた連結ピン９を介して一方の砕土体７を後方に折り畳んだ状態を示したものである。砕土体７は伝動ケース体６の下部から左右方向に突出している回転軸２０の外周に多数の砕土爪１４を設け、さらに上部を被覆する上面カバー１０とから構成される。上面カバー１０は、伝動ケース体６の上部に取り付けられた取付スティ８によって支持している。
【００１７】
１５は機枠２から左右部に設けられた係合片を示し、伝動ケース体６の内方に向けて設けた受けピン１６との係合・離脱するクラッチ５を構成するものである。
【００１８】
９の連結ピンは側面視で上端が進行方向に前傾斜して取り付けられ、砕土体７が後方に回動された時は、砕土体７は尻上がりに折り畳まれるものである。
【００１９】
図７は、砕土体を後方に折り畳んだ状態を後方より示したものである。砕土体の折り畳み支点である連結ピン９と、連結鎮圧板１１４の左右に設けられた鎮圧板回動ピン９ａは、それぞれ軸芯延長線Ａ−Ａ´の近傍に設けられているため、砕土体を折り畳むと連動して整地体も折り畳まれる。
【００２０】
図８は、整地体の均平作用効果を示したものである。左右の第一鎮圧板１１２と、第二鎮圧板１１３は、中央部の連結鎮圧板１１４と前記嵌合片により左右一体で作動し、ゴムプレート１１１の作用で、耕盤の凹凸によるトラクタの傾斜が発生しても整地体は水平を保ち、均平作用が得られる。
【図面の簡単な説明】
【００２１】
【図１】本発明を実施した平面図
【図２】後面図
【図３】整地体の嵌合部の斜視図
【図４】一方の砕土体を省略した側面図
【図５】動力伝達説明図
【図６】一方の砕土体を折り畳んだ側面図
【図７】砕土体を折り畳んだ後面図
【図８】整地体の均平作用の説明図
【符号の説明】
【００２２】
１      入力軸
２      機枠
３      ミッション
４      シャフト
５      クラッチ
６      伝動ケース体
７      砕土体
８      取付スティ
９      連結ピン
９ａ    鎮圧板回動ピン
１０    上面カバー
１１    整地体
１１１  ゴムプレート
１１２  第一鎮圧板
１１３  第二鎮圧板
１１４  連結鎮圧板
１１ａ  嵌合片ａ
１１ｂ  嵌合片ｂ
１２    ロアピン
１３    トップブラケット
１４    砕土爪
１５    係合片
１６    受けピン
１７    支持孔
１８    出力軸
１９    ガススプリング
２０    回転軸
【図１】
2005117992.tif 000003
【図２】
2005117992.tif 000004
【図３】
2005117992.tif 000005
【図４】
2005117992.tif 000006
【図５】
2005117992.tif 000007
【図６】
2005117992.tif 000008
【図７】
2005117992.tif 000009
【図８】
2005117992.tif 000010